(57)【要約】【課題】回転ドラム式カッターの回転安定性に優れ、表面切削外観が良好な切削装置の提供を目的とする。【解決手段】建設機械のブームに取り付ける切削装置であって、切削装置は回転制御された回転ドラムを有し、当該回転ドラムの外周部は複数の切削ビットを有し、切削ビットの刃先方向が回転ドラムの幅方向の左右交互に所定の角度だけ傾けて千鳥状に配設したことを特徴とする。【選択図】  図１
2014066071.tif 000002
【特許請求の範囲】
【請求項１】
建設機械のブームに取り付ける切削装置であって、
切削装置は回転制御された回転ドラムを有し、当該回転ドラムの外周部は複数の切削ビットを有し、切削ビットの刃先方向が回転ドラムの幅方向の左右交互に所定の角度だけ傾けて千鳥状に配設したことを特徴とする切削装置。
【請求項２】
前記複数の切削ビットは回転ドラムの回転方向に対して斜めに交差する方向の複数の列で構成されていることを特徴とする請求項１記載の切削装置。
【請求項３】
前記回転ドラムの回転数は油圧モーター及びその制御回路にて可変制御されていることを特徴とする請求項１又は２に記載の切削装置。
【発明の詳細な説明】
【技術分野】
【０００１】
本発明は建設機械のブームに装着し、コンクリート等の表面切削を行うのに適した切削装置に関する。
【背景技術】
【０００２】
建設機械のブームに回転ドラム式のカッターを装着し、コンクリート，アスファルト，岩石等の切削や掘削工事に用いられている。
例えば、特許文献１に油圧モーターで回転する回転ドラムの外周部に複数本の爪を備え、回転ドラムの側面に保護カバーを取り付けた表面剥離装置を開示する。
しかし、同公報に開示する従来の回転ドラム式切削装置は、掘削工事を念頭に置いているから、例えばコンクリートの掘削面に大きな凹凸ができてしまい、切削外観が劣るものであった。
また、回転ドラムの外周面に配設した複数の切削刃具（切削ビット）は、単に帯状に配列したり、切削ビットの取り付け位置を単に千鳥状に配列しただけのものであり、ドラムの回転安定性に劣るものであった。
詳細に説明すると、切削ビットがコンクリート表面等に当たる際に回転ドラムにはラジアル方向の衝撃と、スラスト方向の衝撃が加わることになるが、従来の切削ビット配列ではスラスト方向の衝撃を充分に考慮されていないために、回転ドラムが回転軸に沿って、幅方向の左側あるいは右側に片寄る力が発生してしまい、軸受けがスラスト方向に偏摩耗する不具合があった。
【先行技術文献】
【特許文献】
【０００３】
【特許文献１】特許第２９２５１１０号公報
【発明の概要】
【発明が解決しようとする課題】
【０００４】
本発明は、回転ドラム式カッターの回転安定性に優れ、表面切削外観が良好な切削装置の提供を目的とする。
【課題を解決するための手段】
【０００５】
本発明は、建設機械のブームに取り付ける切削装置であって、切削装置は回転制御された回転ドラムを有し、当該回転ドラムの外周部は複数の切削ビットを有し、切削ビットの刃先方向が回転ドラムの幅方向の左右交互に所定の角度だけ傾けて千鳥状に配設したことを特徴とする。
【０００６】
本発明において切削ビットを千鳥状に配設するとは、切削ビットの刃先の向く方向が、回転ドラム幅方向に対して左右に交互に千鳥状になっていることをいい、特許文献１に表現されている爪の取り付ける位置が単に千鳥状になっているものとは区別される。
即ち、本発明では回転するドラムの幅方向であって、左側に刃先が所定の角度だけ傾いた切削ビットと、右側に刃先が所定の角度だけ傾いた切削ビットを回転ドラムの回転方向に沿って交互に配列したことにより、左側に刃先が傾いた切削ビットと右側に刃先が傾いた切削ビットとで左右方向交互にスラスト方向の切削反発力が生じ、スラスト方向の偏摩耗が低減される。
ここで全ての切削ビットの刃先の向く方向が左右交互に千鳥状になっている必要はなく、回転ドラムが一周する際に右方向に刃先が向いた切削ビットの本数と左方向に刃先が向いた切削ビットの本数が一致するものであれば、全周のうち部分的に千鳥状になったものや、複数本の切削ビット毎に左右千鳥状になっていてもよい。
このような場合であってもスラスト方向の偏摩耗低減になるからである。
また、コンクリート等の切削表面の凹凸が小さくなる。
【０００７】
本発明で複数の切削ビットの配列の方法としては、複数の切削ビットは回転ドラムの回転方向に対して斜めに交差する方向の複数の列で構成し、各列の切削ビットをドラムの幅方向の左右に交互に刃先が傾くように千鳥状に配列してもよい。
切削ビットをドラムの回転方向に対して斜めに交差する方向に複数列で螺旋状に配置した方がコンクリート表面の凹凸が小さくなる。
【０００８】
本発明に係る切削装置は、建設機械に装置することを念頭に置き、油圧モーターで回転ドラムが回転するようにするのが好ましく、その際に油圧制御系に可変装置を設けることで回転ドラムの回転数を可変制御できるのが望ましい。
このように可変制御できるようにしたことにより、コンクリート表面等を高速で切削した後に回転数を落とすことで切削表面の凹凸を小さくする仕上げ施工もできる。
【発明の効果】
【０００９】
本発明に係る切削ビットの配列方法を採用した切削装置は、スラスト方向の衝撃力が左右方向交互に生じるので、回転ドラムの軸受け部にスラスト方向の偏摩耗を抑えることができる。
また、切削表面の凹凸が小さく、コンクリート表面切削の中仕上げに好適である。
【図面の簡単な説明】
【００１０】
【図１】（ａ）は本発明に係る切削装置を建設機械のブーム（アーム，リンク）に装着した側面図を示し、（ｂ）は正面図を示す。
【図２】切削ビットの配列例を示す。
【図３】切削ビットの他の配列例を示す。
【図４】切削ビットの拡大図を示す。
【発明を実施するための形態】
【００１１】
本発明に係る切削装置の構造例を以下図面に基づいて説明する。
図１は切削装置１０の全体図を示し、図２，３に回転ドラム２０の外周面を展開し、切削ビット３０の配列を平面図で表現したものを示す。
切削装置１０は図１（ｂ）に示すように、第１フレーム１２ａと第２フレーム１２ｂとをコ字形状に連続したフレーム体１２の内側に回転支持された回転ドラム２０を配設し、油圧モーターからなる駆動部１３にて回転制御されている。
本実施例では、回転数５０〜２００rpmに可変制御されている。
フレーム体１２の上部には取付具１１を有し、アタッチメントカプラ３等を介して、あるいは直接的に建設機械のブームに装着可能になっている。
図１はブームとしてアーム１とリンク２とからなる例を示す。
また、切削装置１０は必要に応じてカバー部１４を設けてある。
【００１２】
本実施例に係る切削ビット３０の例を図４に示す。
切削ビット３０は回転ドラム２０の外周面に溶接等で取り付けるベース部３０１と、刃具として丸ピック３０３を保持するホルダー部３０２とからなる。
複数の切削ビット３０は、図２，３に示すように回転ドラム２０の回転方向と交差する方向に傾けた複数の列にて構成した例になっている。
本実施例は３１〜３６の６つの列からなり、列の交差角θは回転方向に対して約１２°に設定した例になっている。
交差角θは１０〜４０°の範囲がよい。
各列の切削ビットの配列方法としては、図２（ｂ）に示すように刃先Ｐが概ね直線状になるように配列され、刃先Ｐが向く方向の傾斜角θ１を回転ドラムの幅方向、図２では左右方向に交互に傾けるように千鳥状に配列する列（３０ａ〜３０ｃ）と、図３に示すように切削ビット３０の取付部中心Ｂが直線状になるように配列され、刃先Ｐが向く方向の傾斜角θ２が交互に左右に傾くように配列する列（３０ｄ〜３０ｆ）が挙げられる。
傾斜角θ１，θ２は７〜１５°が好ましく、本実施例は１２°となっている。
【符号の説明】
【００１３】
１        アーム
２        リンク
３        アタッチメントカプラ
１０      切削装置
１１      取付具
１２      フレーム体
１２ａ    第１フレーム
１２ｂ    第２フレーム
１３      駆動部
１４      カバー部
２０      回転ドラム
３０      切削ビット
【図１】
2014066071.tif 000003
【図２】
2014066071.tif 000004
【図３】
2014066071.tif 000005
【図４】
2014066071.tif 000006